(57)【特許請求の範囲】
【請求項１】
複数のノードと前記複数のノードの各々と連結されて前記複数のノードを制御することができる基地局を含む多重ノードシステムにおける端末のチャネル状態情報をフィードバックする方法であって、前記方法は、
前記端末により、サービングノードからターゲット周波数帯域情報を受信することであって、前記ターゲット周波数帯域情報は、ターゲット周波数帯域を示し、前記ターゲット周波数帯域情報は、前記ターゲット周波数帯域として前記多重ノードシステムの全体システム帯域を示す、ことと、
前記端末により、前記サービングノード及び複数の第１ノードから一つ以上の参照信号を受信することであって、前記サービングノードは、高送信電力を有するノードであり、各第１ノードは、低送信電力を有する、ことと、
前記端末により、ターゲット周波数帯域全体に対して各第１ノードに対する一つのみのプレコーディング行列インデックス（ＰＭＩ）を求めることと、
前記端末により、前記ターゲット周波数帯域の各サブバンドで、各第１ノードに対するＰＭＩに適用される位相補正値を求めることであって、各第１ノードに対する一つのＰＭＩ及び各第１ノードに対する位相補正値は、前記一つ以上の参照信号を測定することにより求められる、ことと、
前記端末により、前記求められたＰＭＩ及び位相補正値を前記サービングノードにフィードバックすることと
を含む、方法。
【請求項２】
各第１ノードに対するＰＭＩに適用される位相補正値は、互いに異なる２個以上の第１ノードに対するＰＭＩを連結することにより一つのプレコーディング行列を作るために使われる情報である、請求項１に記載の方法。
【請求項３】
前記ターゲット周波数帯域内のサブバンドの個数がＮ個である場合、各第１ノードに対するＰＭＩに適用される位相補正値は、Ｎ個以下であり、Ｎは、２以上の自然数である、請求項１に記載の方法。
【請求項４】
各第１ノードに対するＰＭＩに適用される位相補正値の代わりに、前記複数のノードのうちの一つである基準ノードから送信された信号を受信した時間と各第１ノードから送信された信号を受信した時間との差分値が求められてフィードバックされる、請求項１に記載の方法。
【請求項５】
前記ターゲット周波数帯域に対して一つのみの差分値がフィードバックされる、請求項４に記載の方法。
【請求項６】
前記差分値は、予め決められた複数の時間区間の各々に対応するインデックスとして与えられる、請求項４に記載の方法。
【請求項７】
無線信号を送受信するＲＦ部と、
前記ＲＦ部に連結されるプロセッサと
を含む端末であって、
前記プロセッサは、
サービングノードからターゲット周波数帯域情報を受信することであって、前記ターゲット周波数帯域情報は、ターゲット周波数帯域を示し、前記ターゲット周波数帯域情報は、前記ターゲット周波数帯域として多重ノードシステムの全体システム帯域を示す、ことと、前記サービングノード及び複数の第１ノードから一つ以上の参照信号を受信することであって、前記サービングノードは、高送信電力を有するノードであり、各第１ノードは、低送信電力を有する、ことと、ターゲット周波数帯域全体に対して各第１ノードに対する一つのみのプレコーディング行列インデックス（ＰＭＩ）を求めることと、前記ターゲット周波数帯域の各サブバンドで、各第１ノードに対するＰＭＩに適用される位相補正値を求めることであって、各第１ノードに対する一つのＰＭＩ及び各第１ノードに対する位相補正値は、前記一つ以上の参照信号を測定することにより求められる、ことと、前記求められたＰＭＩ及び位相補正値を前記サービングノードにフィードバックすることとを実行する、端末。
【請求項８】
各第１ノードに対するＰＭＩに適用される位相補正値は、互いに異なる２個以上の第１ノードに対するＰＭＩを連結することにより一つのプレコーディング行列を作るために使われる情報である、請求項７に記載の端末。
【請求項９】
前記ターゲット周波数帯域内のサブバンドの個数がＮ個である場合、各第１ノードに対するＰＭＩに適用される位相補正値は、Ｎ個以下であり、Ｎは、２以上の自然数である、請求項７に記載の端末。
【請求項１０】
各第１ノードに対するＰＭＩに適用される位相補正値の代わりに、前記複数のノードのうちの一つである基準ノードから送信された信号を受信した時間と各第１ノードから送信された信号を受信した時間との差分値が求められてフィードバックされる、請求項７に記載の端末。
【請求項１１】
前記ターゲット周波数帯域に対して一つのみの差分値がフィードバックされる、請求項１０に記載の端末。
【請求項１２】
前記差分値は、予め決められた複数の時間区間の各々に対応するインデックスとして与えられる、請求項１１に記載の端末。
【発明の詳細な説明】
【技術分野】
【０００１】
本発明は、無線通信に関し、より詳しくは、多重ノードシステムにおいて、チャネル状態情報をフィードバックする方法及び装置に関する。
【背景技術】
【０００２】
最近、無線ネットワークのデータ送信量が速く増加している。その理由は、マシンツーマシン（Ｍａｃｈｉｎｅ−ｔｏ−Ｍａｃｈｉｎｅ；Ｍ２Ｍ）通信及び高いデータ送信量を要求するスマートフォン、タブレットＰＣなど、多様なデバイスの出現及び普及のためである。要求される高いデータ送信量を満たすために、より多くの周波数帯域を効率的に使用する搬送波集約（ｃａｒｒｉｅｒ  ａｇｇｒｅｇａｔｉｏｎ；ＣＡ）技術、コグニティブ無線（ｃｏｇｎｉｔｉｖｅ  ｒａｄｉｏ）技術などと、限定された周波数内でデータ容量を高めるために、多重アンテナ技術、多重基地局協力送信技術などが最近浮かび上がっている。
【０００３】
また、無線ネットワークは、ユーザ周辺にアクセスすることができるノード（ｎｏｄｅ）の密度が高まる方向に進化している。ここで、ノードとは、分散アンテナシステム（ｄｉｓｔｒｉｂｕｔｅｄ  ａｎｔｅｎｎａ  ｓｙｓｔｅｍ；ＤＡＳ）から一定間隔以上離れたアンテナ又はアンテナグループを意味するが、このような意味に限定されるものではなく、さらに広い意味で使われることができる。即ち、ノードは、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器、分散されたアンテナ（グループ）などになることもできる。高い密度のノードを備えた無線通信システムは、ノード間の協力により高いシステム性能を提供することができる。即ち、各ノードが独立的な基地局として互いに協力せずに動作する場合より、各ノードが一つの制御局により送受信の管理を受けて一つのセルに対するアンテナ又はアンテナグループのように動作すると、優れたシステム性能を獲得することができる。以下、複数のノードを含む無線通信システムを多重ノードシステム（ｍｕｌｔｉ−ｎｏｄｅ  ｓｙｓｔｅｍ）という。
【０００４】
このような多重ノードシステムには各ノード間の協力送信（ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ：ＣｏＭＰ）が適用されることができる。協力送信は、複数のノードが同じ端末に対する信号送受信に参加する送信方法を意味する。協力送信技法には、ジョイント処理（ｊｏｉｎｔ  ｐｒｏｃｅｓｓｉｎｇ）技法とスケジューリング協力（ｓｃｈｅｄｕｌｉｎｇ  ｃｏｏｒｄｉｎａｔｉｏｎ）技法がある。ジョイント処理技法は、複数のノードが同時に信号送受信に参加する技法であり、ＪＴ（ｊｏｉｎｔ  ｔｒａｎｓｍｉｓｓｉｏｎ）、ＤＣＳ（ｄｙｎａｍｉｃ  ｃｅｌｌ  ｓｅｌｅｃｔｉｏｎ）などがある。スケジューリング協力技法は、複数のノードがスケジューリングにより互いに異なる時間に同じ端末に対する信号送受信に参加する技法であり、ＣＳ（ｃｏｏｒｄｉｎａｔｅｄ  ｓｃｈｅｄｕｌｉｎｇ）、ＣＢ（ｃｏｏｒｄｉｎａｔｅｄ  ｂｅａｍｆｏｒｍｉｎｇ）などがある。
【０００５】
このような協力送信を多重ノードシステムに適用する場合、端末のチャネル状態情報フィードバック方法が必要である。
【発明の概要】
【発明が解決しようとする課題】
【０００６】
多重ノードシステムにおいて、チャネル状態情報フィードバック方法及び装置を提供しようとする。
【課題を解決するための手段】
【０００７】
本発明の一側面で、複数のノードと前記複数のノードの各々と連結されて制御することができる基地局を含む多重ノードシステムにおける端末のチャネル状態情報フィードバック方法を提供する。前記方法は、ターゲット周波数帯域全体に対して各協力ノードに対する一つのプレコーディング行列インデックス（ｐｒｅｃｏｄｉｎｇ  ｍａｔｒｉｘ  ｉｎｄｅｘ：ＰＭＩ）を求めるステップ；前記ターゲット周波数帯域内のサブバンドの各々で、前記各協力ノードに対するＰＭＩに適用する位相補正値を求めるステップ；及び、前記求められたＰＭＩ及び位相補正値を前記サービングノードにフィードバックするステップ；を含むことを特徴とする。
【０００８】
前記ターゲット周波数帯域は、前記多重ノードシステムの全体システム帯域である。
【０００９】
前記各協力ノードに対するＰＭＩに適用する位相補正値は、互いに異なる２個以上の協力ノードに対するＰＭＩを連結して一つのプレコーディング行列を作るときに使われる情報である。
【００１０】
前記方法は、サービングノードからターゲット周波数帯域情報を受信するステップをさらに含み、前記ターゲット周波数帯域情報は、前記ターゲット周波数帯域を指示する。
【００１１】
前記ターゲット周波数帯域情報は、全体システム帯域のうち一部周波数帯域を前記ターゲット周波数帯域として指示する。
【００１２】
前記ターゲット周波数帯域内のサブバンドの個数がＮ個である場合、前記各協力ノードに対するＰＭＩに適用する位相補正値は、Ｎ個以下である。ここで、Ｎは、２以上の自然数。
【００１３】
前記各協力ノードに対するＰＭＩに適用する位相補正値の代わりに、前記複数のノードのうちいずれか一つである基準ノードで送信した信号を受信した時間と前記各協力ノードが送信した信号を受信した時間との差分値を求めてフィードバックする。
【００１４】
前記差分値は、前記ターゲット周波数帯域に対して一つのみをフィードバックする。
【００１５】
前記差分値は、予め決められた複数の時間区間に各々対応するインデックスとして与えられる。
【００１６】
前記方法は、サービングノード及び前記各協力ノードから参照信号を受信するステップをさらに含む。
【００１７】
前記各協力ノードに対する一つのＰＭＩ及び位相補正値は、前記参照信号を測定して求める。
【００１８】
本発明の他の側面による端末は、無線信号を送受信するＲＦ部；及び、前記ＲＦ部に連結されるプロセッサ；を含み、前記プロセッサは、ターゲット周波数帯域全体に対して各協力ノードに対する一つのプレコーディング行列インデックス（ｐｒｅｃｏｄｉｎｇ  ｍａｔｒｉｘ  ｉｎｄｅｘ：ＰＭＩ）を求め、前記ターゲット周波数帯域内のサブバンドの各々で前記各協力ノードに対するＰＭＩに適用する位相補正値を求め、前記求められたＰＭＩ及び位相補正値を前記サービングノードにフィードバックすることを特徴とする。
本明細書は、例えば、以下の項目も提供する。
（項目１）
複数のノードと前記複数のノードの各々と連結されて制御することができる基地局を含む多重ノードシステムにおける端末のチャネル状態情報フィードバック方法において、
ターゲット周波数帯域全体に対して各協力ノードに対する一つのプレコーディング行列インデックス（ｐｒｅｃｏｄｉｎｇ  ｍａｔｒｉｘ  ｉｎｄｅｘ：ＰＭＩ）を求めるステップ；
前記ターゲット周波数帯域内のサブバンドの各々で、前記各協力ノードに対するＰＭＩに適用する位相補正値を求めるステップ；及び、
前記求められたＰＭＩ及び位相補正値を前記サービングノードにフィードバックするステップ；を含むことを特徴とする方法。
（項目２）
前記ターゲット周波数帯域は、前記多重ノードシステムの全体システム帯域であることを特徴とする項目１に記載の方法。
（項目３）
前記各協力ノードに対するＰＭＩに適用する位相補正値は、互いに異なる２個以上の協力ノードに対するＰＭＩを連結して一つのプレコーディング行列を作るときに使われる情報であることを特徴とする項目１に記載の方法。
（項目４）
前記サービングノードからターゲット周波数帯域情報を受信するステップをさらに含み、前記ターゲット周波数帯域情報は、前記ターゲット周波数帯域を指示することを特徴とする項目１に記載の方法。
（項目５）
前記ターゲット周波数帯域情報は、全体システム帯域のうち一部周波数帯域を前記ターゲット周波数帯域として指示することを特徴とする項目４に記載の方法。
（項目６）
前記ターゲット周波数帯域内のサブバンドの個数がＮ個である場合、前記各協力ノードに対するＰＭＩに適用する位相補正値は、Ｎ個以下であることを特徴とする項目１に記載の方法。ここで、Ｎは、２以上の自然数。
（項目７）
前記各協力ノードに対するＰＭＩに適用する位相補正値の代わりに、前記複数のノードのうちいずれか一つである基準ノードで送信した信号を受信した時間と前記各協力ノードが送信した信号を受信した時間との差分値を求めてフィードバックすることを特徴とする項目１に記載の方法。
（項目８）
前記差分値は、前記ターゲット周波数帯域に対して一つのみをフィードバックすることを特徴とする項目７に記載の方法。
（項目９）
前記差分値は、予め決められた複数の時間区間に各々対応するインデックスとして与えられることを特徴とする項目７に記載の方法。
（項目１０）
前記サービングノード及び前記各協力ノードから参照信号を受信するステップをさらに含むことを特徴とする項目１に記載の方法。
（項目１１）
前記各協力ノードに対する一つのＰＭＩ及び位相補正値は、前記参照信号を測定して求めることを特徴とする項目１０に記載の方法。
（項目１２）
無線信号を送受信するＲＦ部；及び、
前記ＲＦ部に連結されるプロセッサ；を含み、前記プロセッサは、
ターゲット周波数帯域全体に対して各協力ノードに対する一つのプレコーディング行列インデックス（ｐｒｅｃｏｄｉｎｇ  ｍａｔｒｉｘ  ｉｎｄｅｘ：ＰＭＩ）を求め、前記ターゲット周波数帯域内のサブバンドの各々で前記各協力ノードに対するＰＭＩに適用する位相補正値を求め、前記求められたＰＭＩ及び位相補正値を前記サービングノードにフィードバックすることを特徴とする端末。
（項目１３）
前記ターゲット周波数帯域は、全体システム帯域であることを特徴とする項目１２に記載の端末。
（項目１４）
前記各協力ノードに対するＰＭＩに適用する位相補正値は、互いに異なる２個以上の協力ノードに対するＰＭＩを連結して一つのプレコーディング行列を作るときに使われる情報であることを特徴とする項目１２に記載の端末。
（項目１５）
前記プロセッサは、前記サービングノードからターゲット周波数帯域情報を受信し、前記ターゲット周波数帯域情報は、前記ターゲット周波数帯域を指示することを特徴とする項目１２に記載の端末。
（項目１６）
前記ターゲット周波数帯域情報は、全体システム帯域のうち一部周波数帯域を前記ターゲット周波数帯域として指示することを特徴とする項目１５に記載の端末。
（項目１７）
前記ターゲット周波数帯域内のサブバンドの個数がＮ個である場合、前記各協力ノードに対するＰＭＩに適用する位相補正値は、Ｎ個以下であることを特徴とする項目１２に記載の端末。ここで、Ｎは、２以上の自然数。
（項目１８）
前記各協力ノードに対するＰＭＩに適用する位相補正値の代わりに、前記複数のノードのうちいずれか一つである基準ノードで送信した信号を受信した時間と前記各協力ノードが送信した信号を受信した時間との差分値を求めてフィードバックすることを特徴とする項目１２に記載の端末。
（項目１９）
前記差分値は、前記ターゲット周波数帯域に対して一つのみをフィードバックすることを特徴とする項目１８に記載の端末。
（項目２０）
前記差分値は、予め決められた複数の時間区間に各々対応するインデックスとして与えられることを特徴とする項目１９に記載の端末。
【発明の効果】
【００１９】
多重ノードシステムにおいて、協力送信を適用する時、端末がフィードバックするチャネル状態情報の量を減らすことができる。したがって、端末のフィードバックオーバーヘッドを減らすことができる。
【図面の簡単な説明】
【００２０】
【図１】多重ノードシステムの一例を示す。
【図２】多重ノードシステム構成の一例を示す。
【図３】多重ノードシステム構成の他の例を示す。
【図４】本発明の一実施例に係るチャネル状態情報フィードバック方法を示す。
【図５】端末と各ノードとの間の有効チャネルを示す。
【図６】本発明の実施例が具現される基地局及び端末のブロック図である。
【発明を実施するための形態】
【００２１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの後続システムである。ＩＥＥＥ８０２．１６ｍは、ＩＥＥＥ８０２．１６ｅの後続システムである。
【００２２】
図１は、多重ノードシステムの一例を示す。
【００２３】
多重ノードシステムは、基地局（ｂａｓｅ  ｓｔａｔｉｏｎ：ＢＳ）及び複数のノードを含む。
【００２４】
基地局は、特定の地理的領域に対して通信サービスを提供する。基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、ＡＢＳ（ａｄｖａｎｃｅｄ  ｂａｓｅ  ｓｔａｔｉｏｎ）等、他の用語で呼ばれることもある。
【００２５】
図１では、ノードの一例として、分散されたアンテナを示しており、このような意味で、ノードをアンテナノード（ａｎｔｅｎｎａ  ｎｏｄｅ：ＡＮ）と呼ぶこともある。しかし、ノードは、分散されたアンテナに限定されるものではなく、例えば、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、中継器等で具現されることができる。ノードは、ポイント（ｐｏｉｎｔ）と呼ばれることもある。このようなノードは、基地局と有線又は無線で連結され、基地局により制御／管理されることができる。
【００２６】
ノードは、端末立場から見ると、参照信号（ｒｅｆｅｒｅｎｃｅ  ｓｉｇｎａｌ：ＲＳ）又はパイロット（ｐｉｌｏｔ）信号を介して識別又は指示されることができる。参照信号（又は、パイロット信号、以下、同一）は、送信端と受信端が知っている信号であり、チャネル測定、データ復調などに利用される信号を意味する。参照信号としては、例えば、３ＧＰＰ  ＬＴＥ−Ａで規定するＣＳＩ−ＲＳ（ｃｈａｎｎｅｌ  ｓｔａｔｕｓ  ｉｎｄｉｃａｔｉｏｎ−ｒｅｆｅｒｅｎｃｅ  ｓｉｇｎａｌ）、ＩＥＥＥ８０２．１６ｍで規定するプリアンブル（ｐｒｅａｍｂｌｅ）、ミッドアンブル（ｍｉｄａｍｂｌｅ）などがある。このような参照信号又は参照信号に対する設定（ｃｏｎｆｉｇｕｒａｔｉｏｎ）は、各ノード（又は、各ノードの送信アンテナ）にマッピング（ｍａｐｐｉｎｇ）されることができる。参照信号設定とノード間のマッピング情報が端末に与えられ、又は端末が予め知っている場合、端末は、ＣＳＩ−ＲＳ設定に基づいてノードを識別したり、指示を受けたりすることができ、該当ノードに対するチャネル状態情報を求めることができる。参照信号設定は、設定インデックス、各ノードのアンテナポート個数、使用するリソース要素（ｒｅｓｏｕｒｃｅ  ｅｌｅｍｅｎｔ：ＲＥ）、送信周期及び送信時点のオフセット（ｏｆｆｓｅｔ）などに対する情報を含むことができる。したがって、本明細書において、説明の便宜上、端末が特定ノードに対して信号を測定したり、チャネル状態情報を生成したりするという技術は、端末立場から見ると、特定参照信号に対する信号を測定したり、チャネル状態情報を生成したりするという意味である。
【００２７】
また、図１を参照すると、ノードは、基地局と有線／無線で連結されており、各ノードは、一つのアンテナ又は複数のアンテナ（即ち、アンテナグループ）で構成されることができる。一つのノードに属するアンテナは、地理的に数メートル以内に位置して同じ特性を示すことができる。多重ノードシステムで、ノードは、端末が接続（ａｃｃｅｓｓ）することができるアクセスポイント（ａｃｃｅｓｓ  ｐｏｉｎｔ、ＡＰ）の役割をする。
【００２８】
前述したように、ノードがアンテナで構成される場合、このような多重ノードシステムを分散アンテナシステム（ｄｉｓｔｒｉｂｕｔｅｄ  ａｎｔｅｎｎａ  ｓｙｓｔｅｍ：ＤＡＳ）と呼ぶこともある。即ち、分散アンテナシステムは、アンテナ（即ち、ノード）が地理的に多様な位置に分散されて配置され、このようなアンテナを基地局が管理するシステムを意味する。分散アンテナシステムは、従来集中アンテナシステム（Ｃｅｎｔｒａｌｉｚｅｄ  ａｎｔｅｎｎａ  ｓｙｓｔｅｍ：ＣＡＳ）において、基地局のアンテナがセル中央に集中して配置される点が異なる。
【００２９】
ここで、アンテナが地理的に分散されて配置されるという意味は、一つの受信機が同じ信号を複数のアンテナから受信する場合、各アンテナと前記受信機とのチャネル状態差が特定値以上になるように配置されるという意味である。アンテナが集中配置されるという意味は、各アンテナと一つの受信機との間のチャネル状態差が特定値未満になるように密集配置されるという意味である。前記特定値は、アンテナに使われる周波数、サービス種類などによって多様に決定されることができる。
【００３０】
図２は、多重ノードシステム構成の一例を示す。
【００３１】
図２を参照すると、多重ノードシステムは、基地局がサービスを提供するマクロセル内に複数のノードが配置される形態である。即ち、多重ノードシステムは、低い送信電力を有する複数のノードが高い送信電力を有するマクロセルカバレッジ内に含む異種（ｈｅｔｅｒｏｇｅｎｅｏｕｓ）ネットワーク形態である。このとき、各ノードは、マクロセル（即ち、基地局）と異なるセルＩＤを有してもよく、同じセルＩＤを有してもよい。各ノードが基地局と同じセルＩＤを有する場合、単一セル多重ノードシステムという。セルＩＤは、同期化信号、参照信号などを送信する時、シードナンバ（ｓｅｅｄ  ｎｕｍｂｅｒ）として使われることができ、端末は、同期化信号、参照信号などを介して各ノードのセルＩＤを識別することができる。
【００３２】
図３は、多重ノードシステム構成の他の例を示す。
【００３３】
図３を参照すると、多重ノードシステムは、各ノードに共通されるセルＩＤを付与し、全てのノードが同じセルＩＤを利用して生成された信号を送信することができる。
【００３４】
また、各ノードは、仮想セル（ｖｉｒｔｕａｌ  ｃｅｌｌ）で具現されることができる。ここで、仮想セルとは、レガシー（ｌｅｇａｃｙ）端末には独立的なセル又はアンテナ（ポート）と認知されないが、改善された（ａｄｖａｎｃｅｄ）端末には独立的なセル又はアンテナ（ポート）と認知されることができる装置を意味する。
【００３５】
例えば、多重ノードシステム内の各ノード（６１０〜６１５）は、セル共通ＩＤを使用して必須な情報を生成した後に送信することができる。ここで、必須な情報は、システム情報、セル間移動、即ち、セル選択／再選択又はハンドオーバと関連した情報などになることができる。その場合、レガシー端末と改善された端末の両方ともは、従来の方法のように必須な情報を受信することができ、レガシー端末は、各ノードを同じセルと認識する。レガシー端末が認識する同じセルをマザーセル（ｍｏｔｈｅｒ  ｃｅｌｌ）という。もちろん、改善された端末もマザーセルを認識することができる。
【００３６】
一方、多重ノードシステム内の各ノード（６１０〜６１５）は、セル共通ＩＤと別個に専用セルＩＤを有することができる。専用セルＩＤは、セル共通ＩＤと独立的に生成された値又はセル共通ＩＤと特定関係設定により生成された値である。各ノード（６１０〜６１５）は，このような専用セルＩＤを利用することで、パイロット（ｐｉｌｏｔ）信号や必須な情報が送信されるチャネルでないチャネルを介して送信される信号を生成／送信することができる。このような信号は、改善された端末のみが認知することができる。このように改善された端末のみが認識することができるセルが仮想セルである。仮想セルは、改善された端末に対する協力送信において、協力セルと認識されることができる。
【００３７】
以下、便宜上、ノードが仮想セルで具現される多重ノードシステムを仮想セルシステムと略称する。仮想セルシステムにおいて、各仮想セル間、又はマザーセルと仮想セルとの間には干渉を減らし、又はシステム性能を向上させるために協力送信が実行されることができる。
【００３８】
協力送信は、一般的に端末のチャネル状態情報フィードバックが必要である。フィードバックされるチャネル状態情報は、特定プレコーディング処理を仮定しない純粋なチャネル状態を示す明示的情報と、特定プレコーディング処理を仮定してチャネル状態を示す暗黙的情報と、に区分することができる。
【００３９】
明示的情報には、チャネル行列、チャネル共分散（ｃｏｖａｒｉａｎｃｅ）などがあり、暗黙的情報には、ＰＭＩ（ｐｒｅｃｏｄｉｎｇ  ｍａｔｒｉｘ  ｉｎｄｅｘ）、ＣＱＩ（ｃｈａｎｎｅｌ  ｑｕａｌｉｔｙ  ｉｎｄｉｃａｔｏｒ）、ＲＩ（ｒａｎｋ  ｉｎｄｉｃａｔｏｒ）などがある。端末は、チャネル状態情報フィードバックの代わりにサウンディング信号（ｓｏｕｎｄｉｎｇ  ｓｉｇｎａｌ）を送信することもできる。基地局は、サウンディング信号を介してチャネル状態を測定することができる。
【００４０】
協力送信の一つ方法に、ジョイント送信（ｊｏｉｎｔ  ｔｒａｎｓｍｉｓｓｉｏｎ）がある。ジョイント送信とは、複数のノードが同じ時間／周波数リソースで同じ端末に信号を送信する協力送信技法である。例えば、ＩＥＥＥ８０２．１６ｍでは、多重基地局ＭＩＭＯのＣＬ−ＭＤ（ｃｌｏｓｅｄ−ｌｏｏｐ  ｍａｃｒｏ  ｄｉｖｅｒｓｉｔｙ）、Ｃｏ−ＭＩＭＯ（ｃｏｌｌａｂｏｒａｔｉｖｅ  ＭＩＭＯ）をサポートし、このような二つのモードがジョイント送信ということができる。
【００４１】
前記二つのモードにおける端末は、各ノード別ＰＭＩ、このようなＰＭＩを連結するためのＣＰＭＩ（ｃｏｎｃａｔｅｎａｔｉｎｇ  ＰＭＩ）、及びＣＱＩをフィードバックする。ここで、ＣＰＭＩは、互いに異なる２個以上のプレコーディング行列を連結して一つのプレコーディング行列を作るときに使われる情報である。コードブック内の各プレコーディング行列は、一番目のアンテナに該当する係数の位相が０になるように（即ち、実数成分のみが存在するように）構成されている。したがって、互いに異なる２個以上のプレコーディング行列を連結するためには各プレコーディング行列の一番目の成分の位相差を補正することが必要である。このために使われる情報がＣＰＭＩである。例えば、ＩＥＥＥ８０２．１６ｍでは、ＣＰＭＩに３ビットを割り当てることで、８個の位相（２π＊（ｎ／８）、ｎ＝０，．．．，７）のうちいずれか一つを指示することができる。
【００４２】
従来、多重セルシステムにおける協力送信で、基地局は、端末に特定帯域を指示し、端末は、前記特定帯域に対して協力基地局別に一つのＰＭＩ、一つのＣＰＭＩをフィードバックする。このとき、一つのＰＭＩ、ＣＰＭＩは、前記特定帯域全体に対するものである。
【００４３】
端末は、前記特定帯域全体に対するＰＭＩ、ＣＰＭＩでなく、前記特定帯域に対するサブバンド別に求めたＰＭＩ、ＣＰＭＩを、基地局にフィードバックすると、協力送信による利得が大きくなることができる。それにもかかわらず、前述したように、特定帯域全体に対するＰＭＩ、ＣＰＭＩをフィードバックする理由は、サブバンド別ＰＭＩ、ＣＰＭＩフィードバックするとき、フィードバック情報量が増加する短所があり、増加するフィードバック情報量に比べて性能向上が大きくないためである。性能向上が大きくない理由は、従来協力送信は、基地局間の協力を優先的に考慮し、その結果、端末がチャネルを測定した時間と基地局が端末からフィードバックを受けて実際協力送信を実行する時間との差が大きくて２時間内にチャネル環境が変化し、測定されたチャネルの正確度が落ちるためである。
【００４４】
しかし、多重ノードシステムではノード間のバックホール遅延（ｂａｃｋｈａｕｌ  ｌａｔｅｎｃｙ）が相当短い。したがって、多重ノードシステムでは基地局が指示した特定帯域に対する全体ＰＭＩ、全体ＣＰＭＩをフィードバックする代わりに、前記特定帯域のサブバンド別ＰＭＩ、ＣＰＭＩをフィードバックすることがシステム効率を増加させることができる。例えば、特定帯域をＭ個のサブバンドに分けて、各協力基地局に対してＮ個（Ｎは、Ｍより小さい又は同じ）のＰＭＩ、Ｎ個のＣＰＭＩをフィードバックすると、システム効率を増加させることができる。ＮがＭより小さい場合は、端末が特定閾値以上の品質を有するサブバンドに対してのみＰＭＩ、ＣＰＭＩを送る場合、又は基地局が予め指定した特定個数のサブバンドに対してのみＰＭＩ、ＣＰＭＩを送る場合である。Ｎが十分に大きい場合、全てのサブバンドに対するＰＭＩ、ＣＰＭＩをフィードバックする場合と性能差はほとんどない。
【００４５】
ただし、このようにサブバンド別ＰＭＩ、ＣＰＭＩをフィードバックする方法は、フィードバックオーバーヘッドが大きいという短所がある。したがって、本発明ではサブバンド別ＰＭＩ、ＣＰＭＩを送る場合と類似するシステム性能を示し、且つフィードバックオーバーヘッドを減らしながらＰＭＩ、ＣＰＭＩを送信することができる方法を提案する。
【００４６】
図４は、本発明の一実施例に係るチャネル状態情報フィードバック方法を示す。
【００４７】
図４を参照すると、サービングノードは、端末にターゲット周波数帯域を指定する（Ｓ１０１）。ここで、サービングノードは、マクロ基地局であるが、これに制限されるものではない。
【００４８】
以下の表は、ＩＥＥＥ８０２．１６ｍでターゲット周波数帯域を指示する情報の一例を示す。
【００４９】
【表１−１】
0005662588.tif 000002
【表１−２】
0005662588.tif 000003
【００５０】
表１において、‘ＴＲＵ’は、チャネル状態情報フィードバックの対象になるターゲットリソースユニットを指示する。表１に示すように、ターゲットリソースユニットのターゲット周波数帯域は、全体帯域（ｗｈｏｌｅ  ｂａｎｄｗｉｄｔｈ）、ＦＦＲ区画０、ブースティングされたＦＦＲ区画（ｂｏｏｓｔｅｄ  ＦＦＲ  ｐａｒｔｉｔｉｏｎ）等、多様に設定されることができる。
【００５１】
サービングノード及び協力ノードは、端末に参照信号を送信する（Ｓ１０２−１、Ｓ１０２−２）。
【００５２】
端末は、参照信号を測定し、ターゲット周波数帯域に対して協力ノード又は参照信号当たり１個のＰＭＩを求める（Ｓ１０３）。ここで、協力ノード又は参照信号別に求める一つのＰＭＩは、ターゲット周波数帯域全体に対するＰＭＩである。または、前記一つのＰＭＩは、ターゲット周波数帯域を分割したサブバンドに対して求めたＰＭＩのうち代表値である。例えば、ターゲット周波数帯域がＦ１と与えられ、ターゲット周波数帯域Ｆ１がｆ１、ｆ２、ｆ３のように３個のサブバンドに分割されることができる。このとき、３個のサブバンドの各々に対するＰＭＩを求めた後、一つのＰＭＩを代表値にすることができる。このようにターゲット周波数帯域に対して協力ノード当たり一つのＰＭＩを求める理由に対しては後述する。
【００５３】
端末は、ターゲット周波数帯域内のサブバンド別に各協力ノードに対してＮ個のＣＰＭＩを求める（Ｓ１０４）。Ｎは、ターゲット周波数帯域内のサブバンドの総個数である。または、Ｎは、ターゲット周波数帯域内のサブバンドの総個数より小さい。この場合、ターゲット周波数帯域内の全体サブバンドのうち端末が選択したＮ個のサブバンドに対してのみＣＰＭＩを送ったり、基地局がターゲット周波数帯域内の全体サブバンドのうちＣＰＭＩをフィードバックするＮ個のサブバンドを端末に指定することができる。
【００５４】
他の方法に、ターゲット周波数帯域内の全体サブバンドをＮ個のサブバンドグループにグループ化して各サブバンドグループに対するＣＰＭＩをフィードバックすることができる。このとき、サブバンドグループは、隣接したＰ個のサブバンドで構成されることができ、このとき、Ｐは、特定値に固定したり、システム帯域幅によって値を規定したり、基地局が端末に物理階層又は上位階層制御情報として知らせたりすることができる。
【００５５】
端末は、前記過程で求めた協力ノード別一つのＰＭＩとＮ個のＣＰＭＩをサービングノードにフィードバックする（Ｓ１０５）。
【００５６】
図４を参照して説明した方法は、協力ノードが低い送信電力を有するノード、例えば、低電力ＲＲＨ、ピコセル／フェムトセル基地局である場合に適用することができる。低い送信電力を有するノードが協力ノードである場合、端末と協力ノードとの間の距離は近い確率が高い。また、チャネル環境がＬｏＳ（ｌｉｎｅ  ｏｆ  ｓｉｇｈｔ）である確率が高い。ＬｏＳ環境では散乱因子が多くなく、遅延拡散（ｄｅｌａｙ  ｓｐｒｅａｄ）も大きくない確率が高い。したがって、協力ノードと端末との間のチャネルは、周波数フラット（ｆｒｅｑｕｅｎｃｙ  ｆｌａｔ）の特性を示す確率が高い。
【００５７】
このような環境ではサブバンド別ＰＭＩがほとんど同じ確率が高いため、サブバンド別にＰＭＩをフィードバックせずに代表的な一つのＰＭＩをフィードバックしても性能に別に影響がない。したがって、端末は、協力ノード別に、ターゲット周波数帯域全体に対して一つのＰＭＩのみをフィードバックする。その結果、端末のフィードバックオーバーヘッドが減る。
【００５８】
ただし、ＬｏＳ環境でも、ＣＰＭＩは、ターゲット周波数帯域全体で均一ではない。その理由は、各協力ノードから送信される信号の到達時間には差が発生することができるためである。したがって、各協力ノードと端末との間のチャネル間には周波数別に位相差が異なるように示すことができる。これは多重経路により周波数選択性（ｆｒｅｑｕｅｎｃｙ  ｓｅｌｅｃｔｉｖｉｔｙ）が発生される原理と同様である。また、サービングノードが高い送信電力を有するマクロ基地局である場合、マクロ基地局と端末との間にはＬｏＳ環境でないことがある。したがって、端末は、Ｎ個のサブバンドに対してＮ個のＣＰＭＩをフィードバックする。
【００５９】
図４ではＳ１０１ステップを介してサービングノードがターゲット周波数帯域を端末に指定したが、この過程が省略されてもよい。この場合、端末のターゲット周波数帯域は、全体システム帯域になることができる。その場合、端末は、Ｓ１０３ステップで、全体システム帯域に対して各協力ノードに対する一つずつのＰＭＩを求め、Ｓ１０４ステップで、全体システム帯域内のサブバンド別に各協力ノードに対するＮ個のＣＰＭＩを構成する。また、図４のＳ１０４ステップではターゲット周波数帯域内のサブバンド別に各協力ノードに対してＮ個のＣＰＭＩを求めたが、これは制限されるものではない。場合によって、端末は、ＣＰＭＩの代わりにＣＰＭＩを求めることができるパラメータをフィードバックすることもできる。このような方法は、特に全てのノード（基準ノード及び協力ノード）がＬｏＳである環境で有用である。これに対して説明する。
【００６０】
協力送信としてジョイント送信技法を使用する場合、端末は、協力送信に参加する全てのノードのうち一つのノードに同期化を実行する。端末が同期化を実行する対象ノードを基準ノードという。便宜上、基準ノードがノード＃１と仮定する。ノード＃１が送信した信号が端末に時間ｔ１に到達すると仮定する。そして、ジョイント送信に参加する協力ノードであるｉ番目のノード（ノード＃ｉ）が送信した信号が端末に時間ｔｉに到達すると仮定する。この場合、基準ノードと協力ノードとの間の受信時間差（ａｒｒｉｖａｌ  ｔｉｍｅ  ｄｉｆｆｅｒｅｎｃｅ：ＡＴＤ）をｄｉとすると、ｄｉ＝ｔｉ−ｔ１又はｄｉ＝ｔ１−ｔｉである。
【００６１】
また、端末とｉ番目の協力ノード（ノード＃ｉ）との間の周波数領域のチャネルを周波数ｆの関数Ｈｉ（ｆ）と仮定する。もし、端末とノード＃ｉとの間のチャネルがＬｏＳ（ｌｉｎｅ  ｏｆ  ｓｉｇｈｔ）環境であると、Ｈｉ（ｆ）は、周波数と関係なく定数値を有することができる。即ち、Ｈｉ（ｆ）＝ｃｉ（ｃｉは、任意の定数）形態で示すことができる。しかし、このような協力ノードの有効チャネルは、基準ノードを基準とする時、Ｈｉ（ｆ）でなく、ｅｊ２πｆｄｉＨｉ（ｆ）形態になる。即ち、２πｆｄｉほどの位相差が発生する。
【００６２】
図５は、端末と各ノードとの間の有効チャネルを示す。
【００６３】
図５を参照すると、基準ノードであるノード＃１と端末との間のチャネルは、Ｈ１（ｆ）であり、協力ノードであるノード＃ｉ（ｉは、２以上の自然数）と端末との間のチャネルは、ｅｊ２πｆｄｉＨｉ（ｆ）（又はｅ−ｊ２πｆｄｉＨｉ（ｆ））となる。
【００６４】
協力ノードのチャネルＨｉ（ｆ）がｃｉ（ｃｉは、任意の定数）形態である点を考慮すると、基準ノードを基準にした協力ノードの有効チャネルはｃｉｅｊ２πｆｄｉで表すことができる。即ち、固定された大きさを有しながら周波数ｆによって位相が一定に変わるチャネルということができる。このような場合、ＣＰＭＩ値は、ターゲット周波数帯域内のサブバンド別に一定の差を有しながら決定される確率が高い。例えば、ｎ−１番目のサブバンドとｎ番目のサブバンドのＣＰＭＩ値（位相補正値）との差は、ｎ番目のサブバンドとｎ＋１番目のサブバンドのＣＰＭＩ値（位相補正値）との差と同じである。
【００６５】
また、ｉ番目の協力ノードに対するＰＭＩがプレコーディング行列Ｗｉを指示し、ＣＰＭＩにより決定された位相補正値をθｉとすると、ｉ番目の協力ノードに適用されるプレコーディング行列はｅｊ２πθｉＷｉになる。このとき、ＣＰＭＩにより決定された位相補正値θｉとＡＴＤ（＝ｄｉ）を比較すると、θｉ＝ｆｄｉである関係がある。したがって、サービングノードは、ＣＰＭＩの代わりにＡＴＤを知っていても位相補正を実行することができる。このような点を考慮する時、端末は、ターゲット周波数帯域内のサブバンドに対して協力ノード別Ｎ個のＣＰＭＩの代わりにＣＰＭＩを生成することができるパラメータ、例えば、一つのＡＴＤをフィードバックすることができる。即ち、端末は、Ｎ個のＣＰＭＩをフィードバックする代わりに、一つのＡＴＤのみをフィードバックすることができる。このような方法を介して端末のフィードバックオーバーヘッドを減らすことができる。
【００６６】
また、端末は、ＡＴＤをフィードバックする時、ＡＴＤ値自体をフィードバックする代わりに、特定区間を示すインデックス形態でフィードバックすることができる。例えば、ＡＴＤの値がｔ１以上ｔ２未満の場合にはインデックス１、ｔ２以上ｔ３未満の場合にはインデックス２、．．．、ｔｉ以上ｔｉ＋１未満の場合にはインデックスｉのようにインデックス形態でＡＴＤをフィードバックすることができる。このようなインデックスをＡＴＤＩ（ａｒｒｉｖａｌ  ｔｉｍｅ  ｄｉｆｆｅｒｅｎｃｅ  ｉｎｄｅｘ）と呼ぶことができる。このようにＡＴＤＩをフィードバックすると、必要なビット数を減らすことができるため、フィードバックオーバーヘッドを減らすことができる。
【００６７】
または、ＡＴＤを特定基準サンプリング時間単位に量子化し、量子化された値をＡＴＤＩとして使用することもできる。基準サンプリング時間（Ｔｓ）は、例えば、Ｔｓ＝１／（１５００×２０４８）秒である。
【００６８】
または、ＣＰＭＩにより決定される位相補正値をｅｊ（αｓ＋β）にモデリングすることができる。この場合、端末は、パラメータα、βのみを求めてフィードバックすることができる。このとき、ｓは、ターゲット周波数帯域内の一部帯域を示すインデックスであり、サブバンドインデックス、又はＰＲＢ（ｐｈｙｓｉｃａｌ  ｒｅｓｏｕｒｃｅ  ｂｌｏｃｋ）インデックス、トーン（ｔｏｎｅ：副搬送波又はリソース要素）インデックスなどである。
【００６９】
図６は、本発明の実施例が具現される基地局及び端末のブロック図である。
【００７０】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。基地局８００は、多重ノードシステムにおいて、複数のノードを制御することができる。プロセッサ８１０は、提案された機能、過程及び／又は方法を具現する。無線インターフェースプロトコルの階層は、プロセッサ８１０により具現されることができる。プロセッサ８１０は、ターゲット周波数帯域に対する情報を送信し、参照信号を送信する。また、端末９００からターゲット周波数帯域に対する各協力ノードのＰＭＩ、位相補正値（ＣＰＭＩ又はＡＴＤＩ）を受信した後、協力送信を実行する。メモリ８２０は、プロセッサ８１０と連結され、プロセッサ８１０を駆動するための多様な情報を格納する。ＲＦ部８３０は、プロセッサ８１０と連結され、無線信号を送信及び／又は受信する。
【００７１】
端末９００は、プロセッサ９１０、メモリ９２０、及びＲＦ部９３０を含む。ＲＦ部９３０は、プロセッサ９１０と連結され、無線信号を送信及び／又は受信する。プロセッサ９１０は、提案された機能、過程及び／又は方法を具現する。即ち、プロセッサ９１０は、基地局からターゲット周波数帯域情報を受信し、参照信号を受信した後、ターゲット周波数帯域に対するＰＭＩ、位相補正値を求めて基地局にフィードバックする。無線インターフェースプロトコルの階層は、プロセッサ９１０により具現されることができる。メモリ９２０は、プロセッサ９１０と連結され、プロセッサ９１０を駆動するための多様な情報を格納する。
【００７２】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段でプロセッサ８１０、９１０と連結されることができる。前述した例示的なシステムで、方法は一連のステップ又はブロックで順序図に基づいて説明されているが、本発明はステップの順序に限定されるものではなく、あるステップは前述と異なるステップと他の順序に又は同時に発生することができる。また、当業者であれば、順序図に示すステップが排他的でなく、他のステップが含まれ、又は順序図の一つ又はその以上のステップが本発明の範囲に影響を及ぼさずに削除可能であることを理解することができる。
【００７３】
前述した実施例は、多様な態様の例示を含む。多様な態様を示すための全ての可能な組合せを記述することはできないが、該当技術分野の通常の知識を有する者は、他の組合せが可能であることを認識することができる。したがって、本発明は、特許請求の範囲内に属する全ての交替、修正、及び変更を含む。
【図１】
0005662588.tif 000004
【図２】
0005662588.tif 000005
【図３】
0005662588.tif 000006
【図４】
0005662588.tif 000007
【図５】
0005662588.tif 000008
【図６】
0005662588.tif 000009